(57)【特許請求の範囲】
【請求項１】
ガイドレール(5) に沿って走行する複数個の扉体(6)(7)を前後方向に近接させて配置し、この複数個の扉体(6)(7)の内、前後方向の一端側の扉体(6) をガイドレール(5) に沿って伸縮方向に走行させた時に、この一端側の扉体(6) に近い扉体(7) から順次ガイドレール(5) に沿って走行するように各扉体(6)(7)を伸縮自在に連結した複連引き戸式門扉において、各扉体(6)(7)の両端側下部に、ガイドレール(5) に沿って走行する台車(15)(16)を夫々設け、この各台車(15)(16)上に、該台車(15)(16)上に固定された扉体(6)(7)の上部側を支持し且つ他の扉体(6)(7)がガイドレール(5) の長手方向に相対移動自在に収まる支持枠(17)(18)を設け、前後に隣り合う扉体(6)(7)の伸縮方向に相対向する端部側の台車(15)(16)を、相手側の扉体(6)(7)の台車(15)(16)よりも相手側の扉体(6)(7)側に配置し、各台車(15)(16)は扉体(6)(7)から前後に突出する車輪枠(22)(23)と、この車輪枠(22)(23)の前後両端に取り付け台(24)(25)を介して取り付けられた一対の車輪(13)(14)とを備え、各支持枠(17)(18)は各車輪枠(22)(23)の前後両端から起立する支柱部(30)(31)と、この支柱部(30)(31)の上端を前後に連結する連結部(32)(33)を備え、各取り付け台(24)(25)は各車輪枠(22)(23)と各支柱部(30)(31)とに跨がって側面に当接して固定し、各扉体(6)(7)は取り付け板(34)〜(37)を介して連結部(32)(33)、車輪枠(22)(23)に固定された上下一対の横枠(8)(9)と、左右一対の縦枠(10)(11)とを備えたことを特徴とする複連引き戸式門扉。
【発明の詳細な説明】
【０００１】
【発明の属する技術分野】
本発明は、ガイドレールの長手方向に沿う複数個の扉体を伸縮自在に連結した複連引き戸式門扉に関するものである。
【０００２】
【従来の技術】
ガイドレールの長手方向に沿う複数個の扉体を伸縮自在に連結した複連引き戸式門扉には、従来、実開平４−２７０９９号公報に記載のようなものがある。
この複連引き戸式門扉は、ガイドレールの長手方向に沿う複数個の扉体を前後方向に近接させて配置し、この複数個の扉体の内、最前側に配置された扉体の両端下部に、ガイドレール上を走行する台車を設け、この扉体の後側に順次隣接して配置される各扉体の一端側の下部に、ガイドレール上を走行する台車を、他端側に、隣接する前側の扉体の案内溝に嵌合して伸縮方向に案内される案内部材を夫々設けている。
そして、この複連引き戸式門扉は、最前側の扉体をガイドレールに沿って伸縮方向に走行させた時に、この扉体に近い扉体から順次ガイドレールに沿って走行しながら伸縮するようになっている。
【０００３】
【発明が解決しようとする課題】
従来の複連引き戸式門扉では、最前側の扉体を除く後側の各扉体には、その扉体の一端下部に台車を備えているが、他端側には台車を備えておらず、案内溝に嵌合する案内部材を介して前側の扉体によって伸縮自在に支持する構造を採っている。
このため、各扉体の案内溝及び案内部材に大きな負担がかかり、各扉体を収縮させて格納する場合や、各扉体を引き出して出入り口を閉鎖する場合に、各扉体が滑らかに伸縮せず、非常に大きな力を必要とする問題がある。従って、各扉体の案内溝及び案内部材が損傷し易くなると共に、格納や引き出し等に際しての伸縮操作が非常に重たくて煩わしく、しかも構造的にも各扉体の重量、長さ等が制約されると言う欠点がある。
本発明は、このような従来の課題に鑑み、各扉体の負担を軽減できると共に、格納や引き出し等に際しての伸縮操作を容易且つ軽快にでき、しかも各扉体の重量、長さ等も大にできる複連引き戸式門扉を提供することを目的とする。
【０００４】
【課題を解決するための手段】
本発明は、ガイドレール5 に沿って走行する複数個の扉体6,7 を前後方向に近接させて配置し、この複数個の扉体6,7 の内、前後方向の一端側の扉体6 をガイドレール5 に沿って伸縮方向に走行させた時に、この一端側の扉体6 に近い扉体7 から順次ガイドレール5 に沿って走行するように各扉体6,7 を伸縮自在に連結した複連引き戸式門扉において、各扉体6,7 の両端側下部に、ガイドレール5 に沿って走行する台車15,16 を夫々設け、この各台車15,16 上に、該台車15,16 上に固定された扉体6,7 の上部側を支持し且つ他の扉体6,7 がガイドレール5 の長手方向に相対移動自在に収まる支持枠17,18 を設け、前後に隣り合う扉体6,7 の伸縮方向に相対向する端部側の台車15,16 を、相手側の扉体6,7 の台車15,16 よりも相手側の扉体6,7 側に配置し、各台車15,16 は扉体6,7 から前後に突出する車輪枠22,23 と、この車輪枠22,23 の前後両端に取り付け台24,25 を介して取り付けられた一対の車輪13,14 とを備え、各支持枠17,18 は各車輪枠22,23 の前後両端から起立する支柱部30,31 と、この支柱部30,31 の上端を前後に連結する連結部32,33 を備え、各取り付け台24,25 は各車輪枠22,23 と各支柱部30,31 とに跨がって側面に当接して固定し、各扉体6,7 は取り付け板34〜37を介して連結部32,33 、車輪枠22,23 に固定された上下一対の横枠8,9 と、左右一対の縦枠10,11 とを備えたものである。
【０００５】
【発明の実施の形態】
以下、本発明の実施形態を図面に基づいて詳述する。
図１の（Ａ）及び（Ｂ）において、１  はブロック塀等の構築物、２  は出入口である。３  は扉体格納部、４  は戸当たり柱で、これら扉体格納部３  と戸当たり柱４  は、構築物１  の内側の敷地内で出入り口２  の両側に設けられている。５  は前後一対のガイドレールで、扉体格納部３  側から戸当たり柱４  側に亘って出入り口２  の地面側に左右方向に敷設されている。
【０００６】
６  は第１扉体、７  は第２扉体で、これら扉体６，７  は前後一対のガイドレール５  間の略中央部に、ガイドレール５  の長手方向に沿って配置されると共に、相対向する端部同士がガイドレール５  の長手方向にオーバーラップするように前後に近接して配置されている。
【０００７】
各扉体６，７  は上下一対の横枠８，９  と左右一対の縦枠１０，１１  とを備え、その上下の横枠８，９  間に多数の縦桟１２を配置して構成されている。各扉体６，７  には、その長手方向の両端下部に、前後両側に車輪１３，１４  を有する台車１５，１６  が装着されると共に、各台車１５，１６  上に、各扉体６，７  の両端部を支持する支持枠１７，１８  が固定されている。
【０００８】
ガイドレール５  は、図４乃至図７に示すように、台車１５，１６  の車輪１３，１４  が転動する車輪転動部１９と、この車輪転動部１９上を転動する車輪１３，１４  の横振れを規制する横振れ規制部２０とを一体に備え、出入り口２  の地面に平行に敷設されている。なお、一対のガイドレール５  間には、横振れ規制部２０の上端と一致するようにコンクリート２１が充填されている。
【０００９】
台車１５，１６  は、図２乃至図７に示すように、各扉体６，７  の両端部から前後に突出する矩形筒状の車輪枠２２，２３  と、この車輪枠２２，２３  の前後両端部に取り付け台２４，２５  を介して上下調節自在に取り付けられた一対の車輪１３，１４  とを備え、その車輪１３，１４  がガイドレール５  の車輪転動部１９上を長手方向に沿って転動するようになっている。
【００１０】
各扉体６，７  の伸縮方向に相対向する端部側の台車１５，１６  、即ち、各扉体６，７  の連結側の台車１５，１６  は、図２及び図３に示すように、各扉体６，７  を引き出して伸長させる時に、両扉体６，７  が台車１５，１６  を介して互いに連結されるように、相手側の扉体７，６  の台車１６，１５  よりも相手側の扉体７，６  側に配置されている。
【００１１】
つまり、両台車１５，１６  の連結部分側では、第１扉体６  と第２扉体７  との端部同士がオーバーラップ状態にあり、その第１扉体６  側の台車１５は、第２扉体７  の端部よりも第２扉体７  側に、また第２扉体７  側の台車１６は、第１扉体６  の端部よりも第１扉体６  側に夫々配置されている。
なお、取り付け台２４，２５  は、車輪枠２２，２３  と、この車輪枠２２，２３  の前後両端部から起立する支持枠１７，１８  とに跨がって固定されており、この取り付け台２４，２５  に車輪ブラケット２６，２７  等を介して車輪１３，１４  が取り付けられている。
【００１２】
また各車輪枠２２，２３  の両側には、伸縮方向の両側に突出するストッパー２８，２９  が前後方向に所定間隔をおいて固定されている。各ストッパー２８，２９  は、硬質ゴム、合成樹脂等の適宜材料により構成され、伸縮時に相対向するストッパー２８，２９  同士が互いに当接するようになっている。
【００１３】
各扉体６，７  は略同一長さであり、また第１扉体６  側の両台車１５間の間隔は第２扉体７  側の両台車１６間の間隔よりも短くなっている。
各支持枠１７，１８  は、図４乃至図７に示すように、その内側に配置された扉体６，７  の上部側を支持すると共に、この各扉体６，７  に近接して配置された相手側の扉体６，７  を互いに収納可能な大きさの門型状に構成されている。各支持枠１７，１８  は、各台車１５，１６  の車輪枠２２，２３  の前後両端から垂直状に起立する支柱部３０，３１  と、この両支柱部３０，３１  の上端を前後に連結する連結部３２，３３  とから構成されている。
【００１４】
各扉体６，７  は、図４乃至図７に示すように、上下の取り付け板３４，３５  、３６，３７  を介して支持枠１７，１８  の連結部３２，３３  と車輪枠２２，２３  とに固定されている。各取り付け板３４，３５  、３６，３７  はＬ字状であって、上側の取り付け板３４，３６  は連結部３２，３３  の下面に、下側の取り付け板３５，３７  は車輪枠２２，２３  の上面に夫々ネジで固定されている。また各取り付け板３４，３５  、３６，３７  は扉体６，７  の各横枠８，９  にネジで固定されている。
【００１５】
各扉体６，７  の連結部分側の支持枠１７，１８  及び車輪枠２２，２３  には、図２乃至図７に示すように、隣り合う相手側の扉体７，６  を伸縮方向に案内する前後一対の案内ローラ３８，３９  、４０，４１  が設けられている。各案内ローラ３８，３９  、４０，４１  は、相手側の扉体７，６  の上下両端部の各横枠８，９  を前後両側から挟むように前後一対設けられており、支持枠１７，１８  の連結部３２，３３  及び車輪枠２２，２３  に固定された縦軸４２により回転自在に支持されている。
【００１６】
なお、各支持枠１７，１８  の内、第１扉体６  の戸当たり柱４  に近い先導側の支持枠１７と、第２扉体７  の扉体格納部３  に近い吊り元側の支持枠１８には、案内ローラ３８，３９  、４０，４１  等は設けられていない。また第１扉体６  の戸当たり柱４  側の縦枠１０，１１  には、把手４３と施錠手段４４とが設けられている。
この２連引き戸式門扉は、出入り口２  の開放時には、両扉体６，７  を収縮させた状態で、両扉体６，７  を構築物１  の内側の扉体格納部３  に格納している。
【００１７】
この格納状態から各扉体６，７  を伸長させて出入り口２  を閉鎖する場合には、次のようにして行う。即ち、第１扉体６  の先導側の支持枠１７に装着された把手４３を把持して、第１扉体６  を図１の（Ｂ）のａ矢示方向に戸当たり柱４  側へと引っ張ると、先ず第１扉体６  がガイドレール５  に沿って戸当たり柱４  側に移動する。
【００１８】
この時、第１扉体６  の両端部に台車１５があり、その車輪１３が各ガイドレール５  の車輪転動部１９上を転動する。しかし、第２扉体７  の両端部にも車輪１４付きの台車１６があり、この台車１６を介して第２扉体７  がガイドレール５  上に支持されているため、第１扉体６  の戸当たり柱４  側への走行時に、第２扉体７  の重量が第１扉体６  側にかかることもない。
【００１９】
従って、第１扉体６  はガイドレール５  に沿って容易且つ円滑にａ矢示方向へと走行できる。つまり、各扉体６，７  の重量は、各扉体６，７  毎に夫々独立して台車１５，１６  により支持する構造となっているため、第１扉体６  は軽く滑らかに走行できる。
【００２０】
この第１扉体６  の走行時に、各扉体６，７  は相手側の扉体７，６  の連結側の台車１５，１６  上に固定された支持枠１７，１８  内を相対的に引き出し方向に移動するが、各扉体６，７  は、その連結側の台車１５，１６  の車輪枠２２，２３  及び支持枠１７，１８  に設けられた前後一対の案内ローラ４０，４１  、３８，３９  により前後両側から挟持しながら案内される。
【００２１】
このため、各扉体６，７  の両端部に夫々台車１５，１６  を設け、各扉体６，７  が別々にガイドレール５  上を走行するようにしているにも拘わらず、第１扉体６  の引き出し時に、その引き出し方向が第２扉体７  と若干ずれて両扉体６，７  が屈折するようなことがなく、ガイドレール５  に沿って両扉体６，７  を略真っ直ぐに引き出すことができる。
【００２２】
第１扉体６  の長さ分だけ第１扉体６  を戸当たり柱４  側に引き出すと、その連結側の台車１５がストッパー２８，２９  を介して第２扉体７  の連結側の台車１６に当接して連結され、両扉体６，７  が最大伸長状態となる。そして、更に第１扉体６  を戸当たり柱４  側に移動させると、両扉体６，７  が連結側の両台車１５，１６  を介して連結された状態でガイドレール５  に沿って一体に移動し、構築物１  の内側の扉体格納部３  から出入り口２  側へと引き出される。
【００２３】
この時にも、各扉体６，７  の両端部に夫々台車１５，１６  があり、その台車１５，１６  により各扉体６，７  の重量が支持されているため、各扉体６，７  はガイドレール５  に沿って容易且つ円滑に走行することができる。
出入り口２  を閉鎖した状態では、図１の（Ｂ）に実線で示すように、第１扉体６  の先導側が戸当たり柱４  に当接し、施錠手段４４で第１扉体６  を戸当たり柱４  側に施錠する。
【００２４】
この状態から第１扉体6 を反ａ矢示方向にその長さ分だけ移動させると、第１扉体6 が第２扉体7 に重なって出入り口2 の左半分を開放でき、また逆に第２扉体7 を戸当たり柱4 側へとａ矢示方向に移動させると、図１の（Ｂ）に仮想線で示すように、第２扉体7 が第１扉体6 に重なって出入り口2 の右半分を開放できる。
【００２５】
第１扉体6 を扉体格納部3 まで反ａ矢示方向に移動させると、両扉体6,7 を収縮させて扉体格納部3 を格納し出入り口2 を開放できる。
なお、実施形態では、２連式として説明したが、３連式以上の場合にも同様に実施可能である。
また各扉体6,7 は斜めに傾斜させて設けても良い。
【００２６】
【発明の効果】
本発明によれば、ガイドレール5 に沿って走行する複数個の扉体6,7 を前後方向に近接させて配置し、この複数個の扉体6,7 の内、前後方向の一端側の扉体6 をガイドレール5 に沿って伸縮方向に走行させた時に、この一端側の扉体6 に近い扉体7 から順次ガイドレール5 に沿って走行するように各扉体6,7 を伸縮自在に連結した複連引き戸式門扉において、各扉体6,7 の両端側下部に、ガイドレール5 に沿って走行する台車15,16 を夫々設け、この各台車15,16 上に、該台車15,16 上に固定された扉体6,7 の上部側を支持し且つ他の扉体6,7 がガイドレール5 の長手方向に相対移動自在に収まる支持枠17,18 を設け、前後に隣り合う扉体6,7 の伸縮方向に相対向する端部側の台車15,16 を、相手側の扉体6,7 の台車15,16 よりも相手側の扉体6,7 側に配置し、各台車15,16 は扉体6,7 から前後に突出する車輪枠22,23 と、この車輪枠22,23 の前後両端に取り付け台24,25 を介して取り付けられた一対の車輪13,14 とを備え、各支持枠17,18 は各車輪枠22,23 の前後両端から起立する支柱部30,31 と、この支柱部30,31 の上端を前後に連結する連結部32,33 を備え、各取り付け台24,25 は各車輪枠22,23 と各支柱部30,31 とに跨がって側面に当接して固定し、各扉体6,7 は取り付け板34〜37を介して連結部32,33 、車輪枠22,23 に固定された上下一対の横枠8,9 と、左右一対の縦枠10,11 とを備えているので、次のような顕著な効果を奏する。
【００２７】
１）各扉体6,7 の両端下部に、ガイドレール5 に沿って走行する台車15,16 を夫々設けて  おり、各扉体6,7 を夫々別々に台車15,16 により支持する構成であるため、従来のよう  に互いに隣り合う一方の扉体6,7 で他方の扉体6,7 の端部側を支持する必要がなく、各  扉体6,7 の相手側に対する負担を大幅に軽減できると共に、格納や引き出し等に際して  の伸縮操作を容易且つ円滑にできる。
【００２８】
２）一方の扉体6,7 で他方の扉体6,7 の端部側を支持する必要がないので、各扉体6,7 の  重量を重くし、又は長さを長くすることが可能である。このため、出入り口2 に応じて  各扉体6,7 の重量、長さ等を自由に決定できる利点がある。
【００２９】
３）各扉体6,7 の両端下部に台車15,16 を設ける一方、その各台車15,16 上に支持枠17,1  8 を設けて扉体6,7 の上部側を支持しているため、各扉体6,7 の台車15,16 上での安定  性が向上し、門扉全体の強度を大にできる。
特に各台車15,16 上に、各扉体6,7 の上部側を支持する支持枠17,18 を設けているた  め、各扉体6,7 の上部側に前後方向の外力が作用した場合でも、扉体6,7 と台車15,16   との固定部に過大な応力が直接作用することもなく、その固定部の負担を軽減すること  ができる。従って、扉体6,7 、その他の各部の変形や損傷を確実に防止できる。
【００３０】
４）各支持枠17,18 内に他の扉体6,7 が相対移動自在に収まっており、前後に隣り合う扉  体6,7 の伸縮方向に相対向する端部側の台車15,16 を、相手側の扉体7,6 の台車16,15   よりも相手側の扉体7,6 側に配置しているので、扉体6,7 の引き出し時に対向端部側の  台車15,16 を介して各扉体6,7 を連結でき、各扉体6,7 の対向端部側を連結する連結手  段を別途設ける必要がなくなると共に、各扉体6,7 の連結部分側の強度を大にでき、各  扉体6,7 を円滑に引き出すことができる。
【図面の簡単な説明】
【図１】（Ａ）は本発明の一実施例を示す２連引き戸式門扉の正面図、（Ｂ）はその平面図である。
【図２】本発明の一実施例を示す２連引き戸式門扉の要部の拡大正面図である。
【図３】本発明の一実施例を示す２連引き戸式門扉の要部の拡大平面図である。
【図４】図１の（Ｂ）のＯ矢視拡大図である。
【図５】図１の（Ｂ）のＰ−Ｐ矢視拡大図である。
【図６】図１の（Ｂ）のＱ−Ｑ矢視拡大図である。
【図７】図１の（Ｂ）のＲ−Ｒ矢視拡大図である。
【符号の説明】
５      ガイドレール
６      第１扉体
７      第２扉体
１５，１６      台車
１７，１８      支持枠
【図１】
0003622065.tif 000002
【図２】
0003622065.tif 000003
【図３】
0003622065.tif 000004
【図４】
0003622065.tif 000005
【図５】
0003622065.tif 000006
【図６】
0003622065.tif 000007
【図７】
0003622065.tif 000008